(57)【要約】【課題】屋外設置型の機器であっても防水を確保しつつ、内部で発生した熱を効率的に放熱できるようにする。【解決手段】放熱フィン３が配置された放熱領域の上方の筐体天面壁に第１の開口（開口１３）を設けるとともに、電子機器収納部の背面板（本体フレーム２）の上部で放熱フィン３よりも上方となる位置に第２の開口（排気用開口２１，２２）を設け、放熱フィンからの発熱を、自然対流を利用して筐体天面の開口１３から大気中に放熱し、筐体内部１０の電子機器で発生した熱を、背面板の上部に設けた開口２１，２２から筐体外部の大気中に放熱する。さらに、電子機器収納部に水が浸入することを防ぐための第１の面（防水カバーＡ５の傾斜板５１の上面５１１）を電子機器収納部の上方に設ける。【選択図】図５
2005079295.tif 000002
【特許請求の範囲】
【請求項１】
電子機器が収納された電子機器収納部と、放熱フィンが配置された放熱領域を有する電子機器の筐体において、前記放熱領域の上方の筐体天面壁に第１の開口が設けられているとともに、前記電子機器収納部の背面板の上部で前記放熱フィンよりも上方となる位置に第２の開口が設けられていることを特徴とする電子機器の筐体。
【請求項２】
前記電子機器収納部の上方に、当該電子機器収納部に水が浸入することを防ぐための第１の面が形成されていることを特徴とする請求項１記載の電子機器の筐体。
【請求項３】
前記第１の面が水を溜めることが可能な皿形状であり、前記電子機器収納部の背面板の上部に、前記第１の面からの水を排出するための排水用開口が設けられていることを特徴とする請求項２記載の電子機器の筐体。
【請求項４】
前記電子機器収納部の背面板に設けられた第２の開口よりも低い位置に、前記電子機器収納部内を上昇する空気を前記第２の開口に導くための第２の面が形成されていることを特徴とする請求項１記載の電子機器の筐体。
【請求項５】
前記第２の面が、水平方向に対して傾斜しており、当該第２の面の電子機器収納部の背面側が前面側よりも高い位置にあることを特徴とする請求項４記載の電子機器の筐体。
【請求項６】
前記第２の面の筐体前面側の端部に、前記電子機器収納部の前面側の領域を流れる空気を背面側に導くための傾斜面が設けられていることを特徴とする請求項５記載の電子機器の筐体。
【請求項７】
前記電子機器収納部の背面板に設けられた第２の開口の前面側に、前記背面板に略平行な第３の面が形成されていることを特徴とする請求項１または４記載の電子機器の筐体。
【請求項８】
前記第３の面は、前記第１の開口及び第２の開口の双方を通過する水のうち、鉛直方向に最も近い角度で電子機器収納部に浸入する水が衝突する位置に形成されており、この第３の面に衝突した水が、下方に向けて跳ね返るように構成されていることを特徴とする請求項７記載の電子機器の筐体。
【請求項９】
前記第２の面及び前記第３の面が１つの構造物に形成されていることを特徴とする請求項７記載の電子機器の筐体。
【請求項１０】
前記第３の面の下端に、この第３の面を伝って鉛直方向に落下する水を筐体背面側に向けるための第１の防水板が設けられていることを特徴とする請求項７記載の機器の筐体。
【請求項１１】
前記第１の面には、前記排水用開口からの水の浸入を防止するための第２の防水板が設けられていることを特徴とする請求項２記載の電子機器の筐体。
【請求項１２】
前記第２の防水板は、その上端が前記背面板と接触しており、前記第１の面と接する部分が前記電子機器収納部の背面板と距離をあけて配置されているとともに、前記第１の面に溜まった水を前記排水用開口に流すための流路が形成されていることを特徴とする請求項１１記載の電子機器の筐体。
【請求項１３】
前記第３の面に衝突し落下した水が前記第１の面または第１の防水板に衝突した際に、その衝突による跳ね返り水が前記電子機器に浸水することを阻止するための第３の防水板が設けられていることを特徴とする請求項７記載の電子機器の筐体。
【請求項１４】
当該電子機器の筐体を壁面に設置するための取付け板を備え、その取付け板は、前記筐体と壁面との間に空間をあけた状態で当該筐体を引っ掛けるためのフックが上部に設けられているとともに、前記フックと壁面との間の距離を確保するための天面壁に排気用開口が設けられていることを特徴とする請求項１記載の電子機器の筐体。
【請求項１５】
前記取付け板の下面壁に吸気用開口が設けられていることを特徴とする請求項１４記載の電子機器の筐体。
【発明の詳細な説明】
【技術分野】
【０００１】
本発明は、熱を発生する電子機器が内部に収容された電子機器の筐体に関する。
に関する。
【背景技術】
【０００２】
一般的に、電子機器においては制御を行う制御板を内部に備えており、その制御板から熱が発生する。また、例えば、比較的大電力を扱うインバータにおいても、ＦＥＴ、ＩＧＢＴ、トランス、リアクトルといった比較的大きな熱を発生する素子を備えており、これらの発熱部品（電子機器）を収容した筐体においては放熱が必要である。
【０００３】
発熱部品を内蔵した筐体の放熱構造として、自然対流にて電子機器の空冷を行う構造が提案されている（例えば、特許文献１参照。）。この特許文献１に記載の構造では、図１６に示すように、内部に発熱体３０１（電子部品）を収容する筐体３００を、四方を覆う形状で下部と上部にそれぞれ空気吸入口３０２と排出口３０３を設けたダクト形状とし、この筐体３００内の上部に相対的に大きな発熱体を配置し、下部に相対的に小さな発熱体を配置することで、温度差による煙突効果を利用して効率的な自然対流空冷を実現している。
【０００４】
また、他の放熱構造として、図１７に示すように、ハイブリッドＩＣ４０１などの電気部品が収納された筐体４００の背面側に開口部４１０を設けるとともに、その開口部４１０に空冷ファン（シロッコファン）４０２を配置して、筐体４００の背面側から排気を強制的に行う強制空冷方式の構造が提案されている（例えば、特許文献２参照。）。
【特許文献１】特開２０００−２３２２８７号公報
【特許文献２】特開平１１−１２１９５５号公報
【発明の開示】
【発明が解決しようとする課題】
【０００５】
ところで、図１６に示すような自然空冷による放熱構造では、筐体上部に相対的に大きな発熱体を配置し、筐体下部に相対的に小さな発熱体を配置することにより、煙突効果を有効に活用して放熱を行っているが、電気回路の制約上、このような構造（相対的に大きい発熱体を上部、相対的に小さい発熱体を下部に配置）を実現することが難しい場合が殆どである。また、放熱を行うためには機器の筐体に開口を設け、空気の出入りを行う必要があるが、屋外設置型の機器の場合、筐体に開口を設けることにより、筐体内部に水が容易に浸入することになる。なお、放熱用の開口を設けること及び筐体内部への水の浸入を防止することの双方を達成する方法として、機器の筐体を完全な２重構造とするなどの方法が考えられているが、この場合、筐体構造が複雑となるとともに、高コスト化につながる。
【０００６】
また、図１７に示すような放熱構造においても、筐体背面に設けられた開口部よりも高い位置に側面開口（吸気口）を設けると、内部に水が浸入してしまう。その水が筐体内部の回路基板等に浸入しないようにするには、筐体内部の排気を妨げるような防水板を設ける必要がある。そのため、自然空冷のみでは十分な排気を行うことができず、従って空冷ファンを用いることにより強制的に排気を行う必要がある。
【０００７】
本発明はそのような問題を解決するためになされたもので、屋外設置型の機器であっても防水を確保しつつ、内部で発生した熱を効率的に放熱することが可能な電子機器の筐体を提供することを目的とする。
【課題を解決するための手段】
【０００８】
本発明は、電子機器が収納された電子機器収納部と、放熱フィンが配置された放熱領域を有する電子機器の筐体において、前記放熱領域の上方の筐体天面壁に第１の開口（例えば側面カバー１の開口１３）が設けられているとともに、前記電子機器収納部の背面板（例えば本体フレーム２）の上部で前記放熱フィンよりも上方となる位置に第２の開口（例えば排気用開口２１，２２）が設けられていることを特徴としている。
【０００９】
この発明によれば、放熱フィンからの発熱は、自然対流を利用して、上方に設けられた筐体天面の第１の開口から大気中に放熱され、電子機器収納部（筐体内部）の内部で発生した熱（電子機器の発熱）は、電子機器収納部の背面板の上部に設けられた第２の開口から筐体外部の大気中に放熱される。また、電子機器収納部の排気用の第２の開口は、筐体天面と略垂直な背面板に設けられており、その排気用の第２の開口も筐体天面と略垂直な配置となるので、雨水が直接浸入することを可能な限り防ぐことができる。
【００１０】
本発明において、電子機器収納部の上方に、当該電子機器収納部に水が浸入することを防ぐための第１の面（例えば防水カバーＡ４の傾斜板４１の上面４１１）を形成しておけば、筐体天面側から電子機器収納部に水や埃が直接浸入することを防止することができる。また、放熱フィンからの放熱を妨げることがなく、しかも電子機器収納部の自然対流が損なわれることもないので、放熱を効率良く行うことができる。
【００１１】
本発明において、前記第１の面を、水を溜めることが可能な皿形状とし、電子機器収納部の背面板の上部に、前記第１の面からの水を排出するための排水用開口を設けておいてもよい。このような構成を採用すれば、筐体内部に浸入した水を、筐体外郭の内部で排水することができるので、排水口を筐体外郭に設ける必要がなくなり、外観を損ねることなく、雨水等の排水を行うことができる。しかも、筐体外郭の外部から第２の開口を通って雨水等が直接浸入することがなくなる。
【００１２】
本発明において、電子機器収納部の背面板に設けられた第２の開口よりも低い位置に、前記電子機器収納部内を上昇する空気を前記第２の開口に導くための第２の面（例えば防水カバーＢ５のバッフル板５１の下面５１１）を形成しておけば、筐体天面より低い位置で熱せられた空気が第２の面に一旦衝突し、その衝突した空気が、第２の面よりも高い位置にある第２の開口から、空気自身に発生した浮力によってスムーズに排出されることになる。また、電子機器収納部の背面板に設ける第２の開口を、筐体天面から下がった位置に設けた場合、筐体上部に熱だまりが発生することになるが、第２の面を設けることにより、そのような熱だまりを防止することができる。
【００１３】
ここで、第２の面を、電子機器収納部の背面側が前面側より高い位置となるような傾斜面としておくと、筐体内部の熱を奪った空気が持つ浮力に逆らうことなく、筐体背面の設けられた開口に向かって、空気がスムーズに流れるようになるので、筐体内部の温度上昇を低減することができる。
【００１４】
また、第２の面の筐体前面側の端部に、電子機器収納部の前面側の領域を流れる空気を背面側に導くための傾斜面（例えば防水カバーＢ５の導風板５２の下面５２１）を設けておくと、筐体前面側に熱だまりが生じるのを防ぐことができとともに、筐体背面側の開口に向うスムーズな風の流れを作ることができる。さらに、第２の面に衝突した空気が、筐体前面側に流れ、鉛直下方向に逆流しようとする流れの乱れを抑えることができ、温度上昇した空気を整流することができるので、効率的な排気が可能となる。
【００１５】
本発明において、電子機器収納部の背面板に設けられた第２の開口の前面側に、その背面板に略平行な第３の面（例えば防水カバーＢ５の垂直板５３の背面５３１）を設けておくと、背面板の第２の開口を通過した水の筐体前面側への進行が第３の面にて阻止され、電子機器に水が到達しない構造を実現できる。しかも、第３の面を背面板に略平行な面とすることにより、筐体前面側の空気の流れが阻害されることもない。
【００１６】
このような第３の面は、前記第１の開口及び第２の開口の双方を通過する水のうち、最も鉛直方向に近い角度で電子機器収納部に浸入する水が衝突する位置に形成しておき、この第３の面に衝突した水が、下方に向けて跳ね返るように構成しておけば、電子機器収納部の発熱経路を可能な限り確保しつつ、電子機器への水の浸水を防止することができる。
【００１７】
本発明において、前記第２の面と第３の面が１つの構造物（例えば防水カバーＢ５）に形成しておくと、構造の簡略化をはかることができる。
【００１８】
本発明において、前記第３の面の下端に、この第３の面を伝って鉛直方向に落下する水を筐体背面側に向けるための第１の防水板（例えば防水板７）を設けておけば、第３の面を伝った水が、電子機器前面側に流れ込み、電子機器に水が浸水することを防止することができる。
【００１９】
本発明において、前記第１の面に、前記排水用開口からの水の浸入を防止するための第２の防水板（防水部材６の防水板６０）を設けておけば、排水用開口から背面側の放熱領域に落下した水滴が放熱フィンなどで跳ね返り、第１の面を超えて電子機器に到達することを防止することができる。
【００２０】
本発明において、前記第２の防水板は、その上端が前記背面板と接触しており、前記第１の面（例えば防水カバーＡ４の傾斜板４１の上面４１１）と接する部分が記電子機器収納部の背面板と距離をあけて配置されているとともに、前記第１の面に溜まった水を排水用開口に向けて流すための流路（例えば排水開口６３）が形成された構造としてもよい。このような構造を採用すれば、前記第１の面に落下した水が排水用開口に向けて流れる流路を確保し、かつ第１の面から電子機器に水が溢れ出ることを防止しながら、排水用開口からの水の浸入を防ぐことができる。
【００２１】
また、前記第３の面に衝突し落下した水が前記第１の面または第１の防水板に衝突した際に、その衝突による跳ね返り水が電子機器に浸水することを阻止するための第３の防水板（例えば防水カバーＡ４の防水板４０）を設けておけば、水が第３の面に衝突して飛散する水滴が、電子機器の回路部に浸水することを防ぐことができる。
【００２２】
本発明において、電子機器の筐体を壁面に設置するための取付け板を備えており、その取付け板に、筐体と壁面との間に空間をあけた状態で当該筐体を引っ掛けるためのフックを設けるとともに、そのフックと壁面との間の距離を確保するための天面壁に排気用開口を設けておけば、筐体上方に設けられた排気のための開口面積を広げることができるとともに、放熱フィン側の流路面積も確保することができるので、筐体の温度上昇を低減することができる。また、取付け板を筐体下面と略平行な下面壁を有する構造とし、その下面壁に吸気用開口を設けておけば、筐体サイズを大きくすることなく、筐体下部の吸気のための開口面積を広げることができる。
【発明の効果】
【００２３】
本発明によれば、放熱フィンが配置された放熱領域の上方の筐体天面壁に第１の開口を設けるとともに、電子機器収納部の背面板の上部で放熱フィンよりも上方となる位置に第２の開口を設けているので、比較的簡略な構造のもとに、筐体内部の電子機器から発生した熱を、内部空気の流れを妨げることなく効率的に排熱することができる。また、電子機器収納部（筐体内部）等に防水面を形成することにより、十分な防水構造を実現しているので、特別に防水構造を持った外郭を別途設けることなく、屋外への設置が可能となる。
【００２４】
さらに、騒音の問題により、空冷ファンを設けることができない場合においても、十分な吸排気を行うことができ、ファンレス構造を実現できる。また、本発明では、基板裏面など比較的空気の流れの少ない箇所においても、局所的な開口を比較的自由に設けることが可能であるので、効果的な冷却を実現することができる。
【発明を実施するための最良の形態】
【００２５】
以下、本発明の実施形態を図面に基づいて説明する。
【００２６】
図１は、本発明を屋外設置型機器に適用した実施形態を前面カバーを取り外した状態で前面側から見た斜視図である。図２はその実施形態を背面側から見た斜視図である。図３及び図４はそれぞれ図１の実施形態の要部構造を示す透視図である。図５は図１の実施形態の要部構造を示す断面図である。
【００２７】
この例の屋外設置型機器の筐体（電子機器の筐体）は、機器の天面、左右の両側面及び底面を覆う側面カバー１、その側面カバー１の内部に設けられた本体フレーム（背面板）２、本体フレーム２の一部分に設けられた空洞２０に配置された放熱フィン３、及び、機器の前面を覆う前面カバー（図示せず）などによって構成されている。
【００２８】
これら側面カバー１、本体フレーム２、放熱フィン３及び前面カバーによって構成される空間（以下、「筐体内部１０」という）に、発熱する電子機器であるトランス１０１及びリアクトル１０２と回路基板１０３が配置されている。この例において、筐体内部１０が電子機器収納部であり、本体フレーム２の裏面側で放熱フィン３が配置されている領域が放熱領域となっている。
【００２９】
側面カバー１の底面壁に吸気口１１，１２が設けられており、筐体内部１０に配置のトランス１０１及びリアクトル１０２等の電子機器から発せられた熱は、吸気口１１，１２から取り入れられた空気によって奪われて筐体上方へ移動する。
【００３０】
トランス１０１とリアクトル１０２とは筐体内部１０の上下方向に配列され、かつ、筐体前面側（前面カバー）から距離（空間）をあけた状態で配置されおり、これらトランス１０１及びリアクトル１０２と前面カバーとの間に風の流路が形成されている。このようにトランス１０１及びリアクトル１０２と前面カバーとの間に風の流路を形成しておくことにより、煙突効果によってトランス１０１及びリアクトル１０２からの熱を効率良く上方に輸送することができる。なお、トランス１０１については、発熱が大きなコアを放熱フィン３に電気的な絶縁を確保した状態で固定することにより、筐体内部１０への発熱量を抑えている。
【００３１】
次に、本実施形態の各部の構造を詳細に説明する。
【００３２】
本体フレーム２の上部には、横方向に延びるスリット状の排気用開口２１，２２が上下２段に設けられており、その下段の排気用開口２２の下方に、矩形の排水用開口２３が横方に沿って３箇所に設けられている。これら排気用開口２１，２２及び排水用開口２３は側面カバー１の天面と放熱フィン３との間に位置している。また、側面カバー１の天面壁で放熱フィン３の上方に横長スリット状の開口１３が設けられている。この側面カバー１の開口１３は本体フレーム２の排気用開口２１，２２と連通している。
【００３３】
筐体内部１０の上部に防水カバーＡ４及び防水カバーＢ５が設けられている。
【００３４】
防水カバーＡ４は、図６及び図７に示すように、傾斜板４１、左右一対の整流板４２及び固定用フランジ４３が一体形成された部材で、傾斜板４１の筐体前面側の端部の上方に防水板４０が垂直板４４を介して設けられている。また、傾斜板４１上に防水部材６が固着されている。このような構造の防水カバーＡ４は、固定用フランジ４３を本体フレーム２に密着した状態で固定することにより、その全体が本体フレーム２に保持される。なお、傾斜板４１の上面４１１とその左右の整流板４２及び垂直板４４の各内面によって水を溜めることが可能な皿形状（樋形状）の貯溜部が形成されている。
【００３５】
防水カバーＡ４の傾斜板４１は、筐体背面側に向けて下方向に傾斜している。この傾斜板４１の傾斜は、傾斜板４１の上面４１１に水が溜まった場合に、その溜まった水を筐体背面側の排水用開口２３に向けて流して排水用開口２３から筐体外部に排出するための傾斜であり、かつ、傾斜板４１の下面４１２に衝突した空気を筐体前面側に強制的に導くための傾斜である。
【００３６】
なお、防水カバーＡ４の傾斜板４１の筐体背面側の端部（傾斜下端）は、本体フレーム２の排水用開口２３の底部縁に略一致している。また、防水カバーＡ４の固定用フランジ４３は本体フレーム２に密着した状態（水密状態）で固定されており、防水カバーＡ４の傾斜板４１を流れる水が筐体内部１０に浸入することはない。
【００３７】
防水カバーＢ５は、図８及び図９に示すように、筐体内部１０を上昇する空気（熱気）が衝突するバッフル板５１、空気を筐体背面側に導くための導風板５２、本体フレーム２と距離をあけて配置される垂直板５３、上部水平板５４、及び、固定用フランジ５５が一体形成された部材で、垂直板５３の下端部に防水板５０が固着されている。
【００３８】
このような構造の防水カバーＢ５は、固定用フランジ５５を防水カバーＡ４に密着した状態で固定し、水平板５４を側面カバー１の天面に密着した状態で固定することにより筐体内部１０に保持される。その固定・保持状態で、図５に示すように、防水カバーＢ５のバッフル板５１が本体フレーム２の排気用開口２２よりも下方に位置するとともに、垂直板５３の背面５３１が本体フレーム２と略平行な姿勢で排気用開口２１，２２と対向する位置に配置される。
【００３９】
なお、排気用開口が複数ある場合は、少なくとも１つの排気用開口が、防水カバーＢ５よりも上方に位置するように防水カバーＢ５を配置すればよく、このような配置とすることにより、後述する空気の流れのように、筐体内部１０で熱せられた空気が本体フレーム２上部の排気用開口を通過して、側面カバー１の開口１３をから大気中に排出される。
【００４０】
また、図５に示す構造では、防水カバーＢ５のバッフル板５１を水平方向に沿うように配置しているが、これに限られることなく、防水カバーＢ５のバッフル板５１を、筐体背面側に向けて斜め上方に傾斜するように配置しておけば、空気の逆流を少なくすることができ、また、筐体背面側への空気の流れを妨げないようにすることもできる。
【００４１】
防水部材６は、図１０に示すように、防水板６０、垂直板６１及び固定板６２が一体形成された部材である。防水板６０及び垂直板６１の下部にはそれぞれ排水用開口６３が設けられている。この防水部材６は、防水カバーＡ４を介して側面カバー１に固定した状態で、図５に示すように、防水板６０の上端が本体フレーム２に接触し、その防水板６０の下端部つまり防水カバーＡ４の傾斜板４１の上面４１１と接する部分が本体フレーム２に対して間隔をあけた状態で配置されるように構成されている。
【００４２】
以上の構成に加えて、この実施形態では、防水用の部材として、本体フレーム２の上下の排気用開口２１，２２間に、本体フレーム２から筐体背面側に向けて略水平に突出する防水板７が設けられている。防水板７の突出長さは、側面カバー１の開口１３の最も背面側（筐体背面側）の端縁と防水板７の先端とを通る直線が、本体フレーム２上部の下段の排気用開口２２の下端縁に一致するか、もしくは排気用開口２２の下端縁よりも下方で本体フレーム２に交わるような長さに設定されており、従って、側面カバー１の開口１３の最も背面側の端縁部を通過する雨水が本体フレーム２上部の下段の排気用開口２２に浸入することを防水板７にて阻止することができる。
【００４３】
なお、以上の防水カバーＡ４、防水カバーＢ５、防水部材６並びに防水板７などの各部材の固定は、必ずしも図１〜図５に示したような固定方法を採用する必要はなく、例えば、別途固定用アングルなどを設けて固定するようにしてもよい。
【００４４】
次に、筐体内部の空気の流れと、屋外に設置した場合の雨水の流れについて説明する。
【００４５】
−空気の流れ−
まず、筐体内部１０のトランス１０１及びリアクトル１０２等の電子機器から熱を奪い、筐体上部に上昇した空気（熱気）は、図１１に示すように、筐体内部１０の上方に設けられた防水カバーＡ４の傾斜板４１の下面４１２に衝突する。この防水カバーＡ４に衝突した空気は、傾斜板４１の下面（傾斜面）４１２に沿って筐体前面側に向けて流れるようになる。
【００４６】
防水カバーＡ４にて流れの向きが変更された空気、及び、筐体内部１０の前面側の領域に沿って上昇してきた空気（熱気）は、防水カバーＢ５のバッフル板５１の下面５１１に衝突する（一部は導風板５２の下面５２１に衝突する）。防水カバーＢ５のバッフル板５１に衝突した空気は、そのバッフル板５１の下面５１１と導風板５２の下面５２１の作用によって斜め下方（筐体の背面側下方）に向く速度ベクトル（空気が筐体下方に逆流する速度ベクトル）を持つようになるが、防水カバーＡ４の傾斜板４１の上面４１１にて逆流が阻止されるので、筐体背面側に向けて斜め上方に進行するようになる。
【００４７】
そして、このような防水カバーＡ４及び防水カバーＢ５によって筐体背面側に導かれた空気（熱気）は、自らの浮力によって更に筐体上方へと移動し、本体フレーム２の排気用開口２１，２２から本体フレーム２の背面側（放熱領域）に排出された後、側面カバー１の開口１３から大気中に排出される。
【００４８】
−雨水の流れ−
まず、図１２に示すように、側面カバー１に設けられた開口１３に対して、鉛直方向から雨水が落下する場合、本体フレーム２から筐体内部１０に雨水が直接浸入することはない。しかし、雨水は風の影響、設置した壁の跳ね返りなどにより鉛直方向に対して角度があることが殆どであり、この場合の雨水の流れを図１３及び図１４を参照しながら説明する。
【００４９】
図１３は、雨水が側面カバー１の開口１３の最も前面側（筐体前面側）の端縁部を通過する場合の雨水の流れを示している。
【００５０】
鉛直下方向に対して若干水平方向に傾いた雨水Ｗ０は、側面カバー１の開口１３を通過した後、本体フレーム２の排気用開口２１，２２間に設けられた防水板７に衝突し、略鉛直上方向に跳ね返るため、筐体内部１０に浸水することはない。
【００５１】
更に水平方向に傾いた雨水Ｗ１は、側面カバー１の開口１３を通過し、次いで本体フレーム２の上部の排気用開口２１を通過することになるが、この本体フレーム２の排気用開口２１を通過した雨水Ｗ１は防水カバーＢ５の垂直板５３の背面５３１に衝突して下方向に落下し、本体カバー２への衝突にて向きが変更された後に防水カバーＡ４に到達する。
【００５２】
防水カバーＡ４に到達した雨水Ｗ１は、傾斜板４１の上面４１１（もしくは防水部材６の固定板６２）にて衝突して上方に跳ね返るが、その跳ね返った雨水は防水部材６の垂直板６１にて筐体内部１０への浸入が阻止される。
【００５３】
このとき、雨水Ｗ１の跳ね返りが大きくて、防水部材６の垂直板６１を超えるような状況となると、その跳ね返った雨水Ｗ１は、防水カバーＢ５のバッフル板５１に下面５１１に衝突して防水カバーＡ４側に戻されて、もう一度、防水カバーＡ４の傾斜板４１の上面４１１に衝突して、衝突して筐体前面側に跳ねるようになるが、その跳ね返り水の進行は、傾斜板４１の端部の防水板４０により阻止されるので、筐体内部１０への雨水の浸水が起こることがない。
【００５４】
また、防水カバーＢ５の垂直板５３の背面５３１を伝って鉛直方向に流下する雨水Ｗ１は、防水板５０によって筐体前面側への進行が阻止されるので、雨水Ｗ１が防水カバーＢ５のバッフル板５１の下面５１１に伝って筐体前面側に浸入することを防止することができる。また、更に水平に近い角度で浸入する雨水Ｗ２についても、前記した雨水Ｗ１と同様な流れとなるので、筐体内部１０に浸入することはない。
【００５５】
図１４は、雨水が側面カバー１の開口１３の最も背面側（筐体背面側）の端縁部を通過する場合の雨水の流れを示している。
【００５６】
図１４に示すように、雨水Ｗ３が本体フレーム２に取り付けられた防水板７に当たらない角度を持って落下してきたときには、その雨水Ｗ３は排気用開口２２に入ることなく、本体フレーム２の背面に衝突して鉛直に近い角度で落下するので、筐体内部１０に雨水Ｗ３が浸入することはない。また、更に水平に近い角度で雨水Ｗ４が浸入する場合、本体フレーム２上部の上段の排気用開口２１を通過することになるが、その排気用開口２１を通過した雨水Ｗ４は、前記した雨水Ｗ１（図１３参照）と同様の挙動にて排水用開口２３から本体フレーム２の背面側に排水されるので、筐体内部１０に浸入することはない。
【００５７】
次に、本実施形態の筐体（屋外設置型機器の筐体）を壁面に取り付けるための取付け板について図１５を参照しながら説明する。
【００５８】
本実施形態では筐体を壁面に取付け板を用いて取り付けることを前提としている。取付け板２００は、図１５に示すように、前面側が開放された矩形の箱状の部材であり、筐体を支持するための上部フック２０１、中央部フック２０２及び下部支持部２０３が設けられている。また、背板２１０に複数の取付け用穴２０４・・２０４が設けられている。上部フック２０１は取付け板２００の上部前面側に設けられており、この上部フック２０１と背板２１０との間の天面壁に開口（排気用）２０５が設けられている。また、取付け板２００の下面壁にも同様に開口（吸気用）２０６が設けられている。
【００５９】
このような取付け板２００を用いた筐体の取付けは、まず、取付け板２００を建物等の壁面に、取付け用穴２０４を利用し、ネジなどを用いて壁面に固定し、次いで、取付け板２００の上部フック２０１、中央部フック２０２、下部支持部２０３を利用して筐体を固定するという手順で行う。
【００６０】
そして、このような筐体の壁面への取付け状態（図１２参照）で、筐体と壁面との間に空間があくので、放熱フィン３側の放熱領域の流路面積を大きくすることができ、筐体内部１０の温度上昇を低く抑えることができる。しかも、側面カバー１の天面の開口１３に加えて取付け板２００の天面の開口２０５も排気に寄与するので、排気のための開口面積を広げることができる。さらに、取付け板２００の下面にも開口２０６を設けているので、筐体サイズを大きくすることなく、筐体下部の吸気のための開口面積を広げることができる。
【産業上の利用可能性】
【００６１】
本発明は、トランスやリアクトルなどの発熱する各種の電子機器が内部に収納された筐体の排熱を効率的に行うのに有効に利用できる。
【図面の簡単な説明】
【００６２】
【図１】本発明の実施形態を前面カバーを取り外した状態で前面側から見た斜視図である。
【図２】本発明の実施形態を背面側から見た斜視図である。
【図３】本発明の実施形態の要部構造を示す透視図である。
【図４】本発明の実施形態の要部構造を示す透視図である。
【図５】本発明の実施形態の要部構造を示す断面図である。
【図６】本発明の実施形態に用いる防水カバーＡのみを抽出して示す斜視図である。
【図７】同じく防水カバーＡの側面図である。
【図８】本発明の実施形態に用いる防水カバーＢのみを抽出して示す斜視図である。
【図９】同じく防水カバーＢの側面図である。
【図１０】本発明の実施形態に用いる防水部材のみを抽出して示す斜視図である。
【図１１】本発明の実施形態において空気の流れを示す図である。
【図１２】本発明の実施形態において雨水の流れを示す図である。
【図１３】同じく雨水の流れを示す図である。
【図１４】同じく雨水の流れを示す図である。
【図１５】本発明の実施形態を設置する際に用いる取付け板の斜視図である。
【図１６】従来の電子機器の冷却構造の一例を示す斜視図である。
【図１７】従来の電子機器の冷却構造の他の例を示す平面図である。
【符号の説明】
【００６３】
１  側面カバー
１０  筐体内部
１１，１２  吸気口
１３  開口（第１の開口）
２  本体フレーム（背面板）
２０  空洞
２１，２２  排気用開口（第２の開口）
２３  排水用開口
３  放熱フィン
４  防水カバーＡ
４０  防水板（第３の防水板）
４１  傾斜板
４１１  傾斜板の上面（第１の面）
４１２  傾斜板の下面
４２  整流板
４３  固定用フランジ
５  防水カバーＢ
５０  防水板（第１の防水板）
５１  バッフル板
５１１  バッフル板の下面（第２の面）
５２  導風板
５２１  導風板の下面
５３  垂直板
５３１  垂直板の背面（第３の面）
５４  上部水平板
５５  固定用フランジ
６  防水部材
６０  防水板（第２の防水板）
６１  垂直板
６２  固定板
６３  排水用開口
７  防水板
１０１  トランス
１０２  リアクトル
１０３  回路基板
２００  取付け板
２０１  上部フック
２０２  中央部フック
２０３  下部支持部
２０４  取付け用穴
２０５  開口（排気用）
２０６  開口（吸気用）
Ｗ０，Ｗ１，Ｗ２，Ｗ３，Ｗ４  雨水
【図１】
2005079295.tif 000003
【図２】
2005079295.tif 000004
【図３】
2005079295.tif 000005
【図４】
2005079295.tif 000006
【図５】
2005079295.tif 000007
【図６】
2005079295.tif 000008
【図７】
2005079295.tif 000009
【図８】
2005079295.tif 000010
【図９】
2005079295.tif 000011
【図１０】
2005079295.tif 000012
【図１１】
2005079295.tif 000013
【図１２】
2005079295.tif 000014
【図１３】
2005079295.tif 000015
【図１４】
2005079295.tif 000016
【図１５】
2005079295.tif 000017
【図１６】
2005079295.tif 000018
【図１７】
2005079295.tif 000019